(57)【要約】【課題】筋肉疲労などの多様な症状を効果的に治癒することのできる磁気治療器を提供すること。【解決手段】鉱石等粉混合体製造工程では、鉱石等０１０１を粉末０１０２として所定の混合比にて混合し、鉱石等粉混合体０１０３を得る。混練工程では、半水石膏０２０１、鉱石等粉混合体０２０２、粉状のトルマリン０２０３、白砂糖０２０４及び水０２０５を混練用容器０２０６に投入した後、モータ０２０７で回転する羽根０２０８でかくはんする等して混練する。乾燥工程では、まず、混練工程で製造された混練物０３０１を混練用容器０３０２から漏斗（じょうご）０３０３を通す等して成型容器０３０４の型０３０５に流し込む。そして成型容器に蓋０３０６をして１時間程度待つ。石膏が固まったのを確認して成型容器から取り外した後、ドライヤー０３０７などを使って乾燥させ、磁気治療器を得る。【選択図】図１
2012205608.tif 000002
【特許請求の範囲】
【請求項１】
翡翠を粉末とした翡翠粉末４８０部と、
琥珀を粉末とした琥珀粉末４００部と、
カーネリアンを粉末としたカーネリアン粉末４００部と、
紫水晶を粉末とした紫水晶粉末３５０部と、
珪化木を粉末とした珪化木粉末３００部と、
薬石を粉末とした薬石粉末３００部と、
紅水晶を粉末とした紅水晶粉末３００部と、
真砂を粉末とした真砂粉末３００部と、
マラカイトを粉末としたマラカイト粉末３００部と
蛇紋岩を粉末とした蛇紋岩粉末２８０部と、
瑪瑙を粉末とした瑪瑙粉末２８０部と、
黒雲母を粉末とした黒雲母粉末２８０部と、
アマゾナイトを粉末としたアマゾナイト粉末２８０部と、
ペリドットを粉末としたペリドット粉末２８０部と、
トパーズを粉末としたトパーズ粉末２６０部と、
シラスを粉末としたシラス粉末２４０部と、
アルミナを粉末としたアルミナ粉末２３０部と、
ジルコンを粉末としたジルコン粉末２００部と、
白雲母を粉末とした白雲母粉末２００部と、
アランダムを粉末としたアランダム粉末１８０部と、
菊花石を粉末とした菊花石粉末１８０部と、
ロードナイトを粉末としたロードナイト粉末１８０部と、
カオリンを粉末としたカオリン粉末１８０部と、
コーライトを粉末としたコーライト粉末１８０部と、
タイガーアイを粉末としたタイガーアイ粉末１８０部と、
シリコンウエハを粉末としたシリコンウエハ粉末１６０部と、
大理石を粉末とした大理石粉末１５０部と、
蛍石を粉末とした蛍石粉末１５０部と、
ヘマタイトを粉末としたヘマタイト粉末１５０部と、
ニッケルを粉末としたニッケル粉末１５０部と、
水晶を粉末とした水晶粉末１３０部と、
マンガンを粉末としたマンガン粉末１３０部と、
珪石を粉末とした珪石粉末１２０部と、
オニキスを粉末としたオニキス粉末１２０部と、
麦飯石を粉末とした麦飯石１００部と、
珪藻土を粉末とした珪藻土粉末１００部と、
松脂を粉末とした松脂粉末９０部と、
ボルダーオパールを粉末としたボルダーオパール粉末８０部と、
活性炭を粉末とした活性炭粉末８０部と、
滋賀白を粉末とした滋賀石粉末８０部と、
カーボランダムを粉末としたカーボンランダム粉末６０部と、
金を粉末とした金粉末５０部と、
コージェライトを粉末としたコージュライト粉末４０部と、
アイオライトを粉末としたアイオライト粉末３０部と、
ルビーを粉末としたルビー粉末２４部と、
亜鉛を粉末とした亜鉛粉末９０部と、
白墨を粉末とした白墨粉末８０部と、
酸化白金を粉末とした酸化白金粉末８０部と、
を、各粉末成分の混合量誤差がプラスマイナス１０％以内となる混合比にて混合することにより鉱石等粉混合体を製造する鉱石等粉混合体製造工程と、
半水石膏１００部と、前記鉱石等粉混合体３０部と、トルマリン２．４部と、白砂糖５部と、水１００部と、を各成分の混合量誤差がプラスマイナス１０％以内の混合比にて混練して混練物を製造する混練工程と、
前記混練物を成型容器に流し込んで固形化させた後、乾燥させる乾燥工程と、
からなる磁気治療器の製造方法。
【請求項２】
翡翠を粉末とした翡翠粉末４８０部と、
琥珀を粉末とした琥珀粉末４００部と、
カーネリアンを粉末としたカーネリアン粉末４００部と、
紫水晶を粉末とした紫水晶粉末３５０部と、
珪化木を粉末とした珪化木粉末３００部と、
薬石を粉末とした薬石粉末３００部と、
紅水晶を粉末とした紅水晶粉末３００部と、
真砂を粉末とした真砂粉末３００部と、
マラカイトを粉末としたマラカイト粉末３００部と
蛇紋岩を粉末とした蛇紋岩粉末２８０部と、
瑪瑙を粉末とした瑪瑙粉末２８０部と、
黒雲母を粉末とした黒雲母粉末２８０部と、
アマゾナイトを粉末としたアマゾナイト粉末２８０部と、
ペリドットを粉末としたペリドット粉末２８０部と、
トパーズを粉末としたトパーズ粉末２６０部と、
シラスを粉末としたシラス粉末２４０部と、
アルミナを粉末としたアルミナ粉末２３０部と、
ジルコンを粉末としたジルコン粉末２００部と、
白雲母を粉末とした白雲母粉末２００部と、
アランダムを粉末としたアランダム粉末１８０部と、
菊花石を粉末とした菊花石粉末１８０部と、
ロードナイトを粉末としたロードナイト粉末１８０部と、
カオリンを粉末としたカオリン粉末１８０部と、
コーライトを粉末としたコーライト粉末１８０部と、
タイガーアイを粉末としたタイガーアイ粉末１８０部と、
シリコンウエハを粉末としたシリコンウエハ粉末１６０部と、
大理石を粉末とした大理石粉末１５０部と、
蛍石を粉末とした蛍石粉末１５０部と、
ヘマタイトを粉末としたヘマタイト粉末１５０部と、
ニッケルを粉末としたニッケル粉末１５０部と、
水晶を粉末とした水晶粉末１３０部と、
マンガンを粉末としたマンガン粉末１３０部と、
珪石を粉末とした珪石粉末１２０部と、
オニキスを粉末としたオニキス粉末１２０部と、
麦飯石を粉末とした麦飯石１００部と、
珪藻土を粉末とした珪藻土粉末１００部と、
松脂を粉末とした松脂粉末９０部と、
ボルダーオパールを粉末としたボルダーオパール粉末８０部と、
活性炭を粉末とした活性炭粉末８０部と、
滋賀白を粉末とした滋賀石粉末８０部と、
カーボランダムを粉末としたカーボンランダム粉末６０部と、
金を粉末とした金粉末５０部と、
コージェライトを粉末としたコージュライト粉末４０部と、
アイオライトを粉末としたアイオライト粉末３０部と、
ルビーを粉末としたルビー粉末２４部と、
亜鉛を粉末とした亜鉛粉末９０部と、
白墨を粉末とした白墨粉末８０部と、
酸化白金を粉末とした酸化白金粉末８０部と、
が、各粉末成分の混合量誤差がプラスマイナス１０％以内となる混合比にて混合されてなる鉱石等粉混合体３０部と、半水石膏１００部に相当する二水石膏と、トルマリン２．４部と、白砂糖５部とが、各成分の混合量誤差がプラスマイナス１０％以内の混合比にて混合されてなる磁気治療器。
【発明の詳細な説明】
【技術分野】
【０００１】
本発明は、多種類の鉱石等を混合させて治療効果の高い磁気治療器を生産する技術に関する。
【背景技術】
【０００２】
従来、家庭用磁気治療器には希土類焼結磁石などの永久磁石が使用されている(特許文献１)。希土類焼結磁石としては、ネオジム−鉄−ホウ素系合金焼結磁石、サマリウムコバルト磁石等がある。
【先行技術文献】
【特許文献】
【０００３】
【特許文献１】特開２０１１−４７８５
【発明の概要】
【発明が解決しようとする課題】
【０００４】
しかし、希土類焼結磁石などの永久磁石を使用した家庭用磁気治療器では患者の多様な症状の治癒に必ずしも効果が発揮されないという問題があった。
【課題を解決するための手段】
【０００５】
本願発明の発明者は、多様な鉱物等の粉末から成る鉱物等粉末混合体を用いて機能水を製造する方法を発明し、病気の治癒やガソリンエンジンの燃費改善に役立ててきた。そしてその過程において、前記鉱物等粉末混合体が肩こりや筋肉疲労を改善する効果を有することを発見した。
【０００６】
本願の一の発明は、磁気治療器の製造方法に関する。該製造方法は、翡翠、琥珀、カーネリアン等の粉末を混合して鉱石等粉混合体を得る鉱石等粉混合体製造工程と、これと石膏等を混練して混練物を製造する混練工程と、前記混練物を成型容器に流し込んで固形化させた後、乾燥させる乾燥工程と、からなる。
【０００７】
本願の別の発明は、前記鉱石等粉混合体、石膏、トルマリン等が混合されてなる磁気治療器に関する。
【発明の効果】
【０００８】
本願発明により、肩こり、筋肉疲労などの多様な症状を効果的に治癒することのできる磁気治療器が提供される。
【図面の簡単な説明】
【０００９】
【図１】鉱石等粉混合体製造工程の概念図
【図２】混練工程の概念図
【図３】乾燥工程の概念図
【発明を実施するための形態】
【００１０】
以下、本件発明の実施の形態について、添付図面を用いて説明する。なお、本件発明は、これら実施例に何ら限定されるべきものではなく、その要旨を逸脱しない範囲において、種々なる態様で実施し得る。
【実施例１】
【００１１】
<実施例１：概要>
【００１２】
図１から図３は、本願発明における磁気治療器の製造方法の概略図である。製造方法は、鉱石等粉混合体製造工程、混練工程及び乾燥工程の３工程からなる。
【００１３】
図１は鉱石等粉混合体製造工程の概略図である。鉱石等粉混合体製造工程では、鉱石等０１０１を粉末０１０２として所定の混合比にて混合し、鉱石等粉混合体０１０３を得る。
【００１４】
図２は混練工程の概略図である。混練工程では、半水石膏０２０１、鉱石等粉混合体０２０２、粉状のトルマリン０２０３、白砂糖０２０４及び水０２０５を混練用容器０２０６に投入した後、モータ０２０７で回転する羽根０２０８でかくはんする等して混練する。
【００１５】
図３は乾燥工程の概略図である。乾燥工程では、まず、混練工程で製造された混練物０３０１を混練用容器０３０２から漏斗（じょうご）０３０３を通す等して成型容器０３０４の型０３０５に流し込む。そして成型容器に蓋０３０６をして１時間程度待つ。石膏が固まったのを確認して成型容器から取り外した後、ドライヤー０３０７などを使って乾燥させ、磁気治療器を得る。
【００１６】
<実施例１：構成>
【００１７】
実施例１の磁気治療器の製造方法は、鉱石等粉混合体製造工程と、混練工程と、乾燥工程とからなる。
【００１８】
「鉱石等粉混合体製造工程」では、鉱石等の粉を所定の混合比にて混合することにより鉱石等粉混合体を製造する。
【００１９】
表１は鉱石等粉混合体製造工程における、混合する鉱石等の名称及びその混合比率をあらわす。各粉末成分の混合比は、翡翠４８０部に対して、琥珀４００部、カーネリアン４００部、紫水晶３５０部、珪化木３００部、薬石３００部、紅水晶３００部、真砂３００部、マラカイト３００部、蛇紋岩２８０部、瑪瑙２８０部、黒雲母２８０部、アマゾナイト２８０部、ペリドット２８０部、トパーズ２６０部、シラス２４０部、アルミナ２３０部、ジルコン２００部、白雲母２００部、アランダム１８０部、菊花石１８０部、ロードナイト１８０部、カオリン１８０部、コーライト１８０部、タイガーアイ１８０部、シリコンウエハ１６０部、大理石１５０部、蛍石１５０部、ヘマタイト１５０部、ニッケル１５０部、水晶１３０部、マンガン１３０部、珪石１２０部、オニキス１２０部、麦飯石１００部、珪藻土１００部、松脂９０部、ボルダーオパール８０部、活性炭８０部、滋賀白８０部、カーボランダム６０部、金５０部、コージェライト４０部、アイオライト３０部、ルビー２４部、亜鉛９０部、白墨８０部、酸化白金８０部である。
【表１】
2012205608.tif 000003
【００２０】
なお、各粉末成分の混合量誤差は、それぞれプラスマイナス１０％までを許容誤差とする。
【００２１】
ここで、「翡翠」は硬玉（ヒスイ輝石、ｊａｄｅｉｔｅ）のことである。「琥珀」（ａｍｂｅｒ）は木の樹脂が地中に埋没し長い歳月を経て固化した宝石である。「カーネリアン」（ｃａｒｎｅｌｉａｎ）は紅玉髄ともいう。「珪化木」は植物、主に樹木の化石であり、樹木の種類は特に限定しない。木質材を珪酸処理して人工的に製造した珪化木であってもよい。「薬石」とは、主に新潟県の糸魚川周辺で採取できる流紋岩である。「真砂」とは、真砂土とも呼ばれ、花崗岩が風化したものである。「マラカイト」（ｍａｌａｃｈｉｔｅ）は、孔雀石ともいう。「紫水晶」（ａｍｅｔｈｙｓｔ）と「紅水晶」（ｒｏｓｅ  ｑｕａｒｔｚ）はいずれも鉱物学上の石英に分類され、主要構成元素は同じである。更には紫水晶及び／又は紅水晶に代えて水晶を用いてもよい。従って、上記混合比において、紫水晶、紅水晶及び水晶の合計混合比が７８０部であれば、それぞれの混合比を変更してもよい。
【００２２】
「蛇紋岩」（ｓｅｒｐｅｎｔｉｎｉｔｅ）は、変性岩又は火成岩に一種であり、蛇紋石（ｓｅｒｐｅｎｔｉｎｅ）からなる。「瑪瑙」（ａｇａｔｅ）は縞状の玉髄の一種で蛋白石、石英、玉髄が層状に岩石の空洞中に沈殿してできた鉱物の変種である。「黒雲母」（ｂｉｏｔｉｔｅ）はケイ酸塩鉱物の一種で、金雲母と鉄雲母との中間組成の固溶体である。「アマゾナイト」（ａｍａｚｏｎｉｔｅ）は微斜長石のうち青緑色のものをいい、主要構成元素はムーンストン（月長石）と同じである。よって、上記混合比において、アマゾナイト２８０部に代えて、微斜長石２８０部又はムーンストン２８０部としてもよい。「ペリドット」（ｐｅｒｉｄｏｔ）は鉱物学上はかんらん石（ｏｌｉｖｉｎｅ）に含まれる。従って、上記混合比において、ペリドット２８０部に代えて、かんらん石２８０部としてもよい。「トパーズ」（ｔｏｐａｚ）は和名を黄玉といい、石英よりも少し硬いケイ酸塩鉱物よりなる宝石である。「シラス」とは、軽石質火山灰堆積物の総称であり、主に九州地方で採取できる。「アルミナ」はアルミニウムの酸化物である。「ジルコン」（ｚｉｒｃｏｎ）とは、ジルコニウムの鉱石である。
【００２３】
「白雲母」（ｍｕｓｃｏｖｉｔｅ）はケイ酸塩鉱物の一種で花崗岩などに普通に含まれる造岩鉱物である。「アランダム」とは、人造コランダムの名称であり、上記混合比において、アランダム１８０部に代えて、コランダム１８０部としてもよい。「菊花石」とは菊の模様がある石のことで、堆積岩に属す。石灰岩からなり、菊の花の模様は方解石でできている。泥状の石灰質の堆積物が固化の際、内部に亀裂空洞が生じ、滲入した他物質が石化し、模様を描くとされている。「ロードナイト」（ｒｈｏｄｏｎｉｔｅ）はばら輝石ともいう。「カオリン」（ｋａｏｌｉｎｅ）は粘土鉱石である。「コーライト」はアンモライト（ａｍｍｏｌｉｔｅ）ともいう。「タイガーアイ」（ｔｉｇｅｒ'ｓ  ｅｙｅ）とはタイガーズアイのことである。「シリコンウエハ」とは珪素（シリコン）の薄い基板であり、上記混合比において、シリコンウエハ１６０部に代えて、シリコン１６０部としてもよい。「大理石」（ｍａｒｂｌｅ）は石灰岩が接触変成作用を受けてできる変成岩の一種である。
【００２４】
「蛍石」（ｆｌｕｏｒｉｔｅ）はフッ化カルシウムを主成分とするハロゲン化鉱物の一種である。「ヘマタイト」（ｈｅｍａｔｉｔｅ）は酸化鉄の鉱物である。「ニッケル」及び「マンガン」は説明を省略する。「水晶」（ｒｏｃｋ  ｃｒｙｓｔａｌ）は大きく結晶した石英であり、紫水晶及び紅水晶と主要構成元素は同じである。すでに述べたとおり、上記混合比において、紫水晶、紅水晶及び水晶の合計混合比が７８０部であれば、それぞれの混合比を変更してもよい。
【００２５】
「オニキス」（ｏｎｙｘ）とは、瑪瑙のうち特に平行縞模様のあるものをいい、縞瑪瑙（パンデット・アゲート）、赤瑪瑙（サード・オニキス）、黒瑪瑙（ブラック・オニキス）などがあるが、これらのうちいずれであってもよく、２以上を混合したものでもよい。また、上記混合比において、オニキス及び／又は瑪瑙の合計混合比が４００部であれば、それぞれの混合比を変更してもよい。「珪石」（ｓｉｌｉｃａ  ｓｔｏｎｅ）は石英を代表とするケイ酸質の鉱石である。「麦飯石」は花崗斑岩あるいは石英斑岩で、黄白色のものをいう。「珪藻土」（ｄｉａｔｏｍｉｔｅ）は藻類の一種である珪藻の化石よりなる堆積岩である。
【００２６】
「松脂」はマツ属の木から分泌される天然樹脂をいう。「ボルダーオパール」とはオパールの母岩のことである。「活性炭」は吸着効率を高めるなどの活性化を施した多孔質の炭素を主成分とする物質である。「滋賀白」とは石川県・福井県・岐阜県の３県にまたがる成層火山である白山の噴火の際に滋賀地方に火山灰として堆積し、石化した軽石である。「カーボランダム」は炭素とケイ素の一対一の比率によりなる化合物である。「金」は説明を省略する。「コージェライト」は宝石名として、「アイオライト」と呼ばれることがある。従って、上記混合比において、コージェライト４０部とアイオライト３０部に代えて、コージェライト７０部、又はアイオライト７０部としてもよい。「ルビー」はコランダムのうち美しい赤色の結晶をいう。従って、上記混合比において、ルビー２４部に代えてコランダム２４部としてもよい。「白墨」とはいわゆるチョークのことである。「酸化白金」はアダムス触媒のことである。
【００２７】
「混練工程」では、半水石膏１００部と、前記鉱石等粉混合体３０部と、トルマリン２．４部と、白砂糖５部と、水１００部と、を混練して混練物を製造する。各成分の混合量誤差は、それぞれプラスマイナス１０％までを許容誤差とする。
【００２８】
「石膏」とは硫酸カルシウム（CaSO４）を主成分とする鉱物である。一般には、1/2水和物の「半水石膏」（バサニ石、CaSO４・0.5H２O）、２水和物の「二水石膏」（CaSO４・2 H２O）及び無水物の「硬石膏」（ＣａＳＯ４）を総称して石膏という。半水石膏は水と化学反応して二水石膏に変化し、固化する。「半水石膏１００部に相当する二水石膏」とは、半水石膏１００部が水と化学反応して二水石膏ができたときのその量の二水石膏をいう。
【００２９】
「トルマリン」（ｔｏｕｒｍａｌｉｎｅ）はケイ酸塩鉱物であり、別名を電気石ともいう。
【００３０】
「白砂糖」はショ糖を主成分とする糖をいう。サトウキビ、テンサイなど原料を問わないがなるべく不純物の少ないものとするのがよい。
【００３１】
「水」は蒸留水などの純水が好適であるが、ミネラルウォーターや水道水も使用可能である。
【００３２】
「混練」はかくはん機等を使用して鉱石等粉混合体等が石膏に均一に混ざるようにする。但し、石膏が固化する前に迅速に混練を行う。
【００３３】
「乾燥工程」では、第一に、混練物を成型容器に流し込む。成型容器に成型する型は硬貨様の平べったい円柱形とし、その直径は５から３０ミリメートル、厚みは１から１０ミリメートルとするのがよい。硬貨様の平べったい円柱形とするのは、人体に貼り付けて固定し易く、かつ磁気の効果が人体に伝わり易いからである。逆にいえば、そのような機能を発揮できる形状であれば他の形状でも構わない。
【００３４】
成型容器に混練物を流し込んだ後に蓋をし、石膏の固形化に必要な所定時間、通常は１時間程度経過させる。固まったら成型容器の蓋を外し、成型容器の型から固まった（２水和物の）石膏を取り出す。
【００３５】
取り出した石膏はドライヤーに掛けたり、あるいは天日干したりする等して乾燥させる。これで磁気治療器が完成する。磁気治療器は、これを下着に張り付けた後に該下着を着用したり、あるいは絆創膏様のシールに固定して人体に貼り付けるなどして、使用する。
【００３６】
<実施例１：効果>
【００３７】
実施例１の発明によれば、筋肉疲労などの多様な症状を効果的に治癒することのできる磁気治療器が提供される。
【符号の説明】
【００３８】
０１０１        鉱石等
０１０２        粉末
０１０３        鉱石等粉混合体
【図１】
2012205608.tif 000004
【図２】
2012205608.tif 000005
【図３】
2012205608.tif 000006